(57)【要約】ＦＸ情報提供サーバ１６において、ＲＤ生成サーバ群１０からの５６個の通貨ペアのレートデータＲＤ（ＣＸｎ／ＣＹｍ）に基づいて、８個の通貨の各について、その強さの変化を時系列的に示す指標データＩｎｄｅｘ（ＣＹｍ）を算出する。個人投資家端末装置１４は、上記指標データＩｎｄｅｘ（ＣＹｍ）に基づいて、取引対象とする通貨ペアを決定する。個人投資家端末装置１４は、強くなる方向に最もシフトしている通貨を、弱くなる方向に最もシフトしてる通貨で買う、通貨ペア（ＣＹｍａｘ／ＣＹｍｉｎ）を特定し、これを買う取引を自動発注する。【選択図】    図１
2010058439.tif 000002
【特許請求の範囲】
【請求項１】
通貨ペアの取引レートを時系列に示すレートデータを、複数の通貨間の全ての通貨ペアの各々について入力する入力工程と、
複数の通貨ペアの各々について、前記入力工程で入力した前記レートデータの所定の時間内での変動データを算出する変動データ算出工程と、
前記複数の通貨の各々について、当該通貨が売通貨あるいは買通貨となる通貨ペアの前記変動データを累積した指標データを算出する指標データ算出工程と
をコンピュータが実行する通貨指標生成方法。
【請求項２】
前記指標データ算出工程で算出した前記指標データを基に、前記複数の通貨の強さの順位付けを行う順位付け工程
を前記コンピュータがさらに実行する請求項１に記載の通貨指標生成方法。
【請求項３】
前記変動データは、前記レートデータが変動する最小単位である最小データ幅単位あるいは変動率を用いて示されている
請求項１に記載の通貨指標生成方法。
【請求項４】
前記指標データ算出工程で算出した前記指標データを基に、売買の対象とする通貨ペアを決定する処理を行う売買工程
を前記コンピュータがさらに実行する請求項１に記載の通貨指標生成方法。
【請求項５】
前記順位付け工程で得た前記複数の通貨の強さの順位を基に、売買の対象とする通貨ペアを決定する処理を行う売買工程
を前記コンピュータがさらに実行する請求項２に記載の通貨指標生成方法。
【請求項６】
前記複数の通貨について当該通貨の前記レートデータ以外の情報によって予め決められた補正データを基に、前記指標データを補正する補正工程
をさらに有し、
前記売買工程は、前記補正工程で補正された前記指標データを用いて、売買の対象とする通貨ペアを決定する処理を行う
請求項４に記載の通貨指標生成方法。
【請求項７】
前記売買工程は、前記指標データが大きくなるに従って通貨の強さの上昇率が高くなることを示す場合に、前記複数の通貨のうち、前記指標データが最も高い通貨と最も低い通貨とを特定し、前記特定した指標データが最も低い通貨に対する前記特定した指標データが最も高い通貨の取引レートを示す通貨ペアを買うように前記取引の対象を決定する処理を行う
請求項４に記載の通貨指標生成方法。
【請求項８】
前記複数の通貨の前記指標データ算出工程で算出した指標データを基に、当該通貨の強さの変化を示す変化データを算出するトレンド変化データ算出工程と、
前記トレンド変化データ算出工程で算出した前記変化データを基に、強さが上昇から下降に変化した第１の通貨と、強さが下降から上昇に転じた第２の通貨との通貨ペアを取引対象として決定する売買工程と
を前記コンピュータがさらに行う請求項１に記載の通貨指標生成方法。
【請求項９】
予め通貨ペアの相関関係から矛盾する通貨の強さ関係のリストを示すリストデータを前記コンピュータのメモリから読み出す読み出し工程と、
前記リストデータに示されたリストを参照して、前記順位付け工程で付けた前記複数の通貨の順位のなかに矛盾する通貨の強さ関係が存在する場合に、それを歪として検出する歪検出工程と、
前記順位付け工程で決定される前記複数の通貨の順位を監視し、前記歪検出工程で検出した前記歪が解消されたことを検出する歪解消検出工程と、
前記歪解消検出工程で前記歪の解消が検出された場合に、当該解消の要因となった前記通貨の順位の変化パターンに予め対応付けられた通貨ペアの取引処理を行うことを、前記メモリから読み出した取引態様参照データに基づいて決定する売買工程と
を前記コンピュータがさらに行う請求項２に記載の通貨指標生成方法。
【請求項１０】
通貨ペアの取引レートを時系列に示すレートデータを、複数の通貨間の全ての通貨ペアの各々について入力する入力手段と、
複数の通貨ペアの各々について、前記入力手段で入力した前記レートデータの所定の時間内での変動データを算出する変動データ算出手段と、
前記複数の通貨の各々について、当該通貨が売通貨あるいは買通貨となる通貨ペアの前記変動データを累積した指標データを算出する指標データ算出手段と
を有する通貨指標生成装置。
【請求項１１】
前記指標データ算出手段で算出した前記指標データを基に、前記複数の通貨の強さの順位付けを行う順位付け手段
をさらに有する請求項１０に記載の通貨指標生成装置。
【請求項１２】
前記指標データ算出手段で算出した前記指標データを基に、前記通貨ペアの売買を行う売買手段
をさらに有する請求項１０に記載の通貨指標生成装置。
【請求項１３】
前記売買手段は、前記指標データが大きくなるに従って通貨の強さの上昇率が高くなることを示す場合に、前記複数の通貨のうち、前記指標データが最も高い通貨と最も低い通貨とを特定し、前記特定した指標データが最も低い通貨に対する前記特定した指標データが最も高い通貨の取引レートを示す通貨ペアを買うように前記取引の対象を決定する
請求項１２に記載の通貨指標生成方法。
【請求項１４】
前記複数の通貨の前記指標データ算出工程で算出した指標データを基に、当該通貨の強さの変化を示す変化データを算出するトレンド指標データ算出手段と、
前記トレンド指標データ算出手段が算出した前記変化データを基に、強さが上昇から下降に変化した第１の通貨と、強さが下降から上昇に転じた第２の通貨との通貨ペアを取引対象として決定する売買手段と
をさらに有する請求項１０に記載の通貨指標生成方法。
【請求項１５】
通貨ペアの取引レートを時系列に示すレートデータを生成する第１のサーバと、
前記第１のサーバから前記レートデータを入力し、当該レートデータを基に、複数の通貨ペアの各々について指標データを算出する第２のサーバと、
前記第２のサーバからの前記指標データに基づいて、前記複数の通貨ペアの売買処理を行う端末装置と
を用いた為替取引方法において、
前記第２のサーバが、
前記レートデータを基に、複数の通貨ペアの各々について所定の時間内での変動データを算出する変動データ工程と、
前記複数の通貨の各々について、当該通貨が売通貨あるいは買通貨となる通貨ペアの前記変動データを累積した前記指標データを算出する指標データ算出工程と
を実行する
為替取引方法。
【発明の詳細な説明】
【技術分野】
【０００１】
本発明は、為替取引に有用な通貨指標を生成する通貨指標生成方法、その装置、並びに上記通貨指標生成方法を用いた為替取引方法に関する。
【背景技術】
【０００２】
近年のコンピュータ及び通信技術の発展により、為替取引（ＦＸ）等の金融取引がインターネット等のネットワークを介して行われている。
このような金融取引では、例えば、金融取引を取扱う取引業者が保有する複数の取引業者サーバと注文者端末とが通信を行いながら取引が行われる。【０００３】
為替取引では、為替変動に合わせてタイミング良く通貨を売買することで、為替差益を得るために行われる。
為替取引は、株等の他の金融商品と異なる点が多く、例えば、外貨預金に比べて柔軟性が高いことや、資金効率が良い投資商品として注目されている。
ところで、 外貨預金は、例えば米ドルを買って預金する。つまり、米ドル高の場合は利益が出て、米ドル安の場合は損失が出るというものである。一方、外為取引では、米ドルが下落すると予想したら「米ドル売り・円買い」という注文ができる。 
つまり為替取引は、為替相場の動きに注目して、高くなるだろう通貨は「買い（Bid）」、安くなるだろう通貨は「売り（Ask）」というように、為替差益がプラスに転じるようにトレードが可能であり、極めて為替変動への対応度が高い。
【発明の開示】
【発明が解決しようとする課題】
【０００４】
ところで、株取引の場合は、同じ株式市場において全ての銘柄の株価が絶対値であるので、上昇率等の指標がある。一方、為替取引の場合は異なる通貨を組み合わせた通貨ペアとして取引するため、単独の通貨で、どの通貨が強く、どの通貨が弱いのかの判断が困難である。
また、為替市場は証券市場と比較にならないほど大きく、証券取引のように出来高が把握できないので、相対的な人気の度合いや強さの度合いが分からない。【０００５】
すなわち、為替取引では、通貨ペア（例えば、米ドル・円等）の上昇率・下落率または上昇額・下落額は分かるが、米ドル等の単一通貨の強弱を知る指標がない。
一方、取引する場合、強い通貨を買って、弱い通貨を売れば、利益を得られる可能性が高まる。【０００６】
為替取引では、弱い状態から強くなりかけているとか、強い状態が継続しているとか、強い状態が一旦フラットな状態になり、弱くなりつつあるのか、通常は一つの通貨ペアのチャート中で判断するが、さらに他の通貨に対してはどうなのかが分かると効率のよい取引ができる。また、他の通貨に対しても強い場合、強い状態が当分維持されるという判断もできる。【０００７】
具体的には、英ポンドが強く、米ドルが弱い場合、英ポンド・米ドルという通貨ペアの買いポジションを取ればよい。また、豪ドルが弱く、日本円が強い場合、豪ドル・日本円の売りポジションを取ればよい。通貨ペアの２つ通貨の間だけでなく、３以上の通貨の間での強弱が分かると、取引対象を選択する際、大変有効である。
【課題を解決するための手段】
【０００８】
ところで、Ｃ１，Ｃ２，Ｃ３という３つの通貨の強さを比較する場合、Ｃ１とＣ２、Ｃ１とＣ３、Ｃ２とＣ３の３つの通貨ペアのチャートにて、それぞれの比較をすれば３つの通貨の強さの順位がわかる。
また、Ｃ１，Ｃ２，Ｃ３，Ｃ４という４つの通貨の強さを比較する場合、Ｃ１とＣ２、Ｃ１とＣ３、Ｃ１とＣ４、Ｃ２とＣ３、Ｃ２とＣ４、Ｃ３とＣ４の６つの通貨ペアのチャートにて、それぞれの比較をすれば４つの通貨の強さの順位がわかる。
ところで、比べる通貨が多くなればなるほど、沢山のチャートを比較し、強弱を付けていかなければならない。また、通貨の強弱までは分かっても、その強弱の程度まではわからない。
また、日足チャート程度であれば、手作業にて行うことが可能であるが、多くの通貨を比較することは容易ではない。１時間足チャートとなると、手作業では困難であり、更に１５分・５分足チャートと短くなれば、手作業では、ほぼ不可能である。
本発明では、以下に示す構成により、多数の通貨について、その強弱を容易に把握できる指標値を生成する。【０００９】
本発明は、上述した背景技術に鑑みてなされ、複数の通貨ペアのチャートに基づいて、複数の通貨の各々の強さを示す指標値を自動的に生成することができる通貨指標生成方法およびその装置を提供することを目的とする。
また、本発明は、上記通貨指標生成方法で生成された指標データを用いた為替取引方法を提供することを目的とする。
本発明の通貨指標生成方法は、通貨ペアの取引レートを時系列に示すレートデータを、複数の通貨間の全ての通貨ペアの各々について入力する入力工程と、複数の通貨ペアの各々について、前記入力工程で入力した前記レートデータの所定の時間内での変動データを算出する変動データ算出工程と、前記複数の通貨の各々について、当該通貨が売通貨あるいは買通貨となる通貨ペアの前記変動データを累積した指標データを算出する指標データ算出工程とをコンピュータが実行する。【００１０】
また、本発明の通貨指標生成装置は、通貨ペアの取引レートを時系列に示すレートデータを、複数の通貨間の全ての通貨ペアの各々について入力する入力手段と、複数の通貨ペアの各々について、前記入力手段で入力した前記レートデータの所定の時間内での変動データを算出する変動データ算出手段と、前記複数の通貨の各々について、当該通貨が売通貨あるいは買通貨となる通貨ペアの前記変動データを累積した指標データを算出する指標データ算出手段とを有する。
また、本発明の取引方法は、通貨ペアの取引レートを時系列に示すレートデータを生成する第１のサーバと、前記第１のサーバから前記レートデータを入力し、当該レートデータを基に、複数の通貨ペアの各々について指標データを算出する第２のサーバと、前記第２のサーバからの前記指標データに基づいて、前記複数の通貨ペアの売買処理を行う端末装置とを用いた為替取引方法において、前記第２のサーバが、前記レートデータを基に、複数の通貨ペアの各々について所定の時間内での変動データを算出する変動データ工程と、前記複数の通貨の各々について、当該通貨が売通貨あるいは買通貨となる通貨ペアの前記変動データを累積した前記指標データを算出する指標データ算出工程とを実行する。
【発明の効果】
【００１１】
本発明によれば、複数の通貨ペアのチャートに基づいて、複数の通貨の各々の強さを示す指標値を自動的に生成することができる通貨指標生成方法およびその装置を提供することができる。
また、本発明によれば、上記通貨指標生成方法で生成された指標データを用いた為替取引方法を提供することができる。
【発明を実施するための最良の形態】
【００１２】
＜第１実施形態＞
以下、本発明の実施形態に係るＦＸ処理システムについて説明する。
図１は、本発明の実施形態に係るＦＸ処理システム１の全体構成図である。
図１に示すように、ＦＸ処理システム１は、例えば、ＲＤ生成サーバ群１０、ＦＸ取引業者サーバ１２、個人投資家端末装置１４およびＦＸ情報提供サーバ１６を有する。【００１３】
以下、本発明の構成と本実施形態の構成との対応関係を説明する。
本実施形態のレートデータＲＤが本発明のレートデータの一例であり、本実施形態の指標データＩｎｄｅｘ（ＣＹｍ）が本発明の指標値の一例である。
また、図８に示すステップＳＴ２が本発明の変動データ算出工程および手段の一例であり、ステップＳＴ４が本発明の指標データ算出工程および手段の一例である。【００１４】
［ＲＤ生成サーバ群１０］
ＲＤ生成サーバ群１０は、例えば、通貨ペアについての売買取引を管理する複数のＦＸ取引所サーバで構成されている。各ＦＸ取引所サーバが、自らが管轄する通貨ペアについての売買取引を管理する。
各ＦＸ取引所サーバは、自らが管轄する通貨ペアのレートを時系列に示すレートデータを生成する。
各ＦＸ取引所サーバが生成する上記レートデータは、一般に公開される。【００１５】
本実施形態では、以下の通貨ペアのレートを時系列に示すレートデータＲＤをそれぞれ生成する５６個のＦＸ取引所サーバがある。
各ＦＸ取引所サーバは、管轄する通貨ペアについての投資家等からの売り買い情報（ＦＸ取引業者サーバ１２が提供する提示価格ビット／オファー）に基づいて、通貨ペアのレートを決定する。【００１６】
円／米ドル、英ポンド／米ドル、ユーロ／米ドル、スイスフラン／米ドル、豪ドル／米ドル、ＮＺドル／米ドル、カナダドル／米ドル、米ドル／円、英ポンド／円、ユーロ／円、スイスフラン／円、豪ドル／円、ＮＺドル／円、カナダドル／円、米ドル／、英ポンド、円／英ポンド、ユーロ／英ポンド、スイスフラン／英ポンド、豪ドル／英ポンド、ＮＺドル／英ポンド、カナダドル／英ポンド、米ドル／ユーロ、円／ユーロ、英ポンド／ユーロ、スイスフラン／ユーロ、豪ドル／ユーロ、ＮＺドル／ユーロ、カナダドル／ユーロ、米ドル／スイスフラン、円／スイスフラン、英ポンド／スイスフラン、ユーロ／スイスフラン、豪ドル／スイスフラン、ＮＺドル／スイスフラン、カナダドル／スイスフラン、米ドル／豪ドル、円／豪ドル、英ポンド／豪ドル、ユーロ／豪ドル、スイスフラン／豪ドル、ＮＺドル／豪ドル、カナダドル／豪ドル、米ドル／ＮＺドル、円／ＮＺドル、英ポンド／ＮＺドル、ユーロ／ＮＺドル、スイスフラン／ＮＺドル、豪ドル／ＮＺドル、カナダドル／ＮＺドル、米ドル／カナダドル、円／カナダドル、英ポンド／カナダドル、ユーロ／カナダドル、スイスフラン／カナダドル、豪ドル／カナダドル、ＮＺドル／カナダドル【００１７】
例えば、通貨ペア「米ドル／円」のＦＸ取引所サーバは、図２に示すレートデータＲＤ（米ドル／円）を生成する。
レートデータＲＤは、例えば、所定の時間間隔のレートを示しており、月足、週足、日足、分足の複数形態で選択的に表示される。【００１８】
本実施形態では、通貨ペア「通貨ＣＸｎ／通貨ＣＹｍ」のレートデータＲＤを、「ＲＤ（ＣＸｎ／ＣＹｍ）」と示すこととする。
ここで、ｎ，ｍは、図３に示すように定義される。【００１９】
この場合に、ＲＤ生成サーバ群１０を構成する５６個のＦＸ取引所サーバは、図３および以下に示す５６個の通貨ペアのレートデータＲＤ（ＣＸｎ／ＣＹｍ）を生成する。【００２０】
レートデータＲＤ（円／米ドル）、ＲＤ（英ポンド／米ドル）、ＲＤ（ユーロ／米ド）、ＲＤ（スイスフラン／米ドル）、ＲＤ（豪ドル／米ドル）、ＲＤ（ＮＺドル／米ドル）、ＲＤ（カナダドル／米ドル）、ＲＤ（米ドル／円）、ＲＤ（英ポンド／円）、ＲＤ（ユーロ／円）、ＲＤ（スイスフラン／円）、ＲＤ（豪ドル／円）、ＲＤ（ＮＺドル／円）、ＲＤ（カナダドル／円）、ＲＤ（米ドル／英ポンド）、ＲＤ（円／英ポンド）、ＲＤ（ユーロ／英ポンド）、ＲＤ（スイスフラン／英ポンド）、ＲＤ（豪ドル／英ポンド）、ＲＤ（ＮＺドル／英ポンド）、ＲＤ（カナダドル／英ポンド）、ＲＤ（米ドル／ユーロ）、ＲＤ（円／ユーロ）、ＲＤ（英ポンド／ユーロ）、ＲＤ（スイスフラン／ユーロ）、ＲＤ（豪ドル／ユーロ）、ＲＤ（ＮＺドル／ユーロ）、ＲＤ（カナダドル／ユーロ）、ＲＤ（米ドル／スイスフラン）、ＲＤ（円／スイスフラン）、ＲＤ（英ポンド／スイスフラン）、ＲＤ（ユーロ／スイスフラン）、ＲＤ（豪ドル／スイスフラン）、ＲＤ（ＮＺドル／スイスフラン）、ＲＤ（カナダドル／スイスフラン）、ＲＤ（米ドル／豪ドル）、ＲＤ（円／豪ドル）、ＲＤ（英ポンド／豪ドル）、ＲＤ（ユーロ／豪ドル）、ＲＤ（スイスフラン／豪ドル）、ＲＤ（ＮＺドル／豪ドル）、ＲＤ（カナダドル／豪ドル）、ＲＤ（米ドル／ＮＺドル）、ＲＤ（円／ＮＺドル）、ＲＤ（英ポンド／ＮＺドル）、ＲＤ（ユーロ／ＮＺドル）、ＲＤ（スイスフラン／ＮＺドル）、ＲＤ（豪ドル／ＮＺドル）、ＲＤ（カナダドル／ＮＺドル）、ＲＤ（米ドル／カナダドル）、ＲＤ（円／カナダドル）、ＲＤ（英ポンド／カナダドル）、ＲＤ（ユーロ／カナダドル）、ＲＤ（スイスフラン／カナダドル）、ＲＤ（豪ドル／カナダドル）、ＲＤ（ＮＺドル／カナダドル）【００２１】
［ＦＸ取引業者サーバ１２］
ＦＸ取引業者サーバ１２は、個人投資家端末装置１４からの通貨ペアを指定した買い又は売りの注文に基づいて、それに対応した注文をＲＤ生成サーバ群１０の対応するＦＸ取引所サーバに送信する。
当該注文には、取引の提示価格（ビット／オファー）が示されている。【００２２】
［個人投資家端末装置１４］
図４は、図１に示す個人投資家端末装置１４の構成図である。
図４に示すように、個人投資家端末装置１４は、例えば、インタフェース２１、操作部２３、ディスプレイ２５、メモリ２７、作業メモリ２９および処理回路３１を有する。
ここで、インタフェース２１、操作部２３、ディスプレイ２５、メモリ２７および処理回路３１は、内部バス２０を介して接続されている。
インタフェース２１は、例えば、インターネット等のネットワーク９を介してＦＸ取引業者サーバ１２およびＦＸ情報提供サーバ１６とデータおよび要求の送受信を行う。
操作部２３は、個人投資家が操作するためのキーボードやマウス等である。
ディスプレイ２５は、処理回路３１からの表示信号に応じた画面を表示する。
メモリ２７は、処理回路３１の処理に用いられるプログラムおよびデータを記憶する。
作業メモリ２９は、処理回路３１における処理途中の中間データ等を記憶する。
処理回路３１は、メモリ２７から読み出したプログラムを実行する。
処理回路３１は、個人投資家端末装置１４の処理を統括して制御する。また、処理回路３１の処理は、メモリ２７に処理対象および処理途中のデータを適宜記憶して実行される。【００２３】
［ＦＸ情報提供サーバ１６］
図５は、図１に示すＦＸ情報提供サーバ１６の構成図である。
図５に示すように、ＦＸ情報提供サーバ１６は、例えば、インタフェース３２、操作部３３、ディスプレイ３５、メモリ３７、作業メモリ３９および処理回路４１を有する。
ここで、インタフェース３１、操作部３３、ディスプレイ３５、メモリ３７および処理回路４１は、内部バス３０を介して接続されている。【００２４】
インタフェース３１は、例えば、インターネット等のネットワーク９を介してＲＤ生成サーバ群１０および個人投資家端末装置１４とデータおよび要求の送受信を行う。
操作部３３は、ＦＸ情報提供サーバ１６の管理者が操作するためのキーボードやマウス等である。
ディスプレイ３５は、処理回路４１からの表示信号に応じた画面を表示する。
メモリ３７は、処理回路４１の処理に用いられるプログラムおよびデータを記憶する。
作業メモリ３９は、処理回路４１における処理途中の中間データ等を記憶する。
処理回路４１は、メモリ３７から読み出したプログラムを実行する。
処理回路４１は、ＦＸ情報提供サーバ１６の処理を統括して制御する。
なお、処理回路４１で用いるデータおよび算出されたデータは、作業用メモリ３９やメモリ３７等の記憶手段に一時的に記憶される。本実施形態では、処理回路４１と作業用メモリ３９およびメモリ３７との間での読み書きの動作は特に明示しないが、処理回路４１の処理過程では処理工程毎に行われている。【００２５】
ＦＸ情報提供サーバ１６は、ＲＤ生成サーバ群１０から入力した５６個の通貨ペアのレートデータＲＤ（ＣＸｎ／ＣＹｍ）に基づいて、対象となる８個の通貨である、米ドル、円、英ポンド、ユーロ、スイスフラン、豪ドル、ＮＺドル、カナダドルの各々について、その強さを示す指標データＩｎｄｅｘを算出する。【００２６】
以下、指標データＩｎｄｅｘの算出方法を説明する。
処理回路４１は、例えば、図６に示すレートデータＲＤ（ＣＸｎ／ＣＹｍ）を入力する。
処理回路４１は、例えば、所定の時間間隔Δｔ（例えば、１分間隔）で、値の変動値ΔＲを特定する。
このとき、時刻ｔｃでの変動値ΔＲ（ＣＸｎ／ＣＹｍ）（ｔｃ）は下記式（１）で示される。【００２７】
【数１】
2010058439.tif 000003
【００２８】
そして、処理回路４１は、下記式（２）に示すように、上記式（１）で算出された変動値ΔＲ（ＣＸｎ／ＣＹｍ）（ｔｃ）を、通貨ペアＣＸｎ／ＣＹｍの最少単位Ｚ（ＣＸｎ／ＣＹｍ）で除算して補正変動値ΔＣＲ（ＣＸｎ／ＣＹｍ）（ｔｃ）を算出する。
最少単位Ｚ（ＣＸｎ／ＣＹｍ）としては、例えば、通貨ペア（ＣＸｎ／ＣＹｍ）の最小値幅単位であり、為替が変動するときの最小値である１ピップを用いる。
この値は通貨ペアによって異なり、米ドル／円では０．０１円、ユーロ／ドルでは０．０００１ドル、と決められている。【００２９】
【数２】
2010058439.tif 000004
【００３０】
そして、処理回路４１は、上記８つの通貨ＣＹｍの各々について、当該通貨に対応したｍの値を固定して、下記式（３）に示すように、ｎ＝１〜８について上記補正変動値ΔＣＲ（ＣＸｎ／ＣＹｍ）（ｔｃ）を累積して当該通貨の指標データＩｎｄｅｘ（ＣＹｍ）を算出する。【００３１】
【数３】
2010058439.tif 000005
【００３２】
なお、処理回路４１は、上記式（３）で生成した各通貨の指標データＩｎｄｅｘ（ＣＹｍ）を、予め決められた各通貨についての補正値ΔＣＩｎｄｅｘ（ＣＹｍ）を用いて補正してもよい。
例えば、処理回路４１は、各通貨の指標データＩｎｄｅｘ（ＣＹｍ）に、それらに対応した補正値ΔＣＩｎｄｅｘ（ＣＹｍ）を加算する。そして、加算後の指標データＩｎｄｅｘ（ＣＹｍ）を用いて後述するソート処理を行う。【００３３】
補正値ΔＣＩｎｄｅｘ（ＣＹｍ）は、例えば、各国の市場予測、政治動向、経済動向等のレートデータＲＤ（ＣＸｎ／ＣＹｍ）以外の情報を基に人為的あるいは自動的に決定される。
補正値ΔＣＩｎｄｅｘ（ＣＹｍ）は、例えば、ＦＸ情報提供サーバ１６のメモリ３７に記憶されている。
補正値ΔＣＩｎｄｅｘ（ＣＹｍ）は、その通貨に下落可能性要因がある場合にはその値が小さく、上昇可能性要因がある場合にはその値が大きい。また、正負の値を使用する。
このような補正値ΔＣＩｎｄｅｘ（ＣＹｍ）を用いることで、直近のレートデータＲＤ（ＣＸｎ／ＣＹｍ）からは読み取れないガ、将来の通貨の強さの変動を予測する上で重要な情報（例えば、各国の市場予測、政治動向、経済動向等）を、指標データＩｎｄｅｘ（ＣＹｍ）に反映させることができる。【００３４】
上述した例では、処理回路４１は、一つの通貨が相対するその他の通貨と比較して、動いたポイント数を加減し、計算対象の全通貨ペアでの求められた数値により序列した。
処理回路４１は、その他に、一つの通貨が相対するその他の通貨と比較して、動いたパーセンテージを算出し、計算対象の全通貨ペアでの求められた数値により序列してもよい。【００３５】
以下、図１に示すＦＸ処理システム１の動作例を説明する。
ステップＳＴ１：
図１に示すＲＤ生成サーバ群１０を構成する５６個のＦＸ取引所サーバが、図３および以下に示す５６個の通貨ペアのレートデータＲＤ（ＣＸｎ／ＣＹｍ）を生成する。
図５に示すＦＸ情報提供サーバ１６の処理回路４１は、インタフェース３２を介して、ＦＸ情報提供サーバ１６に要求を送信して、５６個の通貨ペアのレートデータＲＤ（ＣＸｎ／ＣＹｍ）を入力する。
処理回路４１は、入力した５６個の通貨ペアのレートデータＲＤ（ＣＸｎ／ＣＹｍ）を図５に示すメモリ３７に書き込む。【００３６】
ステップＳＴ２：
ＦＸ情報提供サーバ１６の処理回路４１は、ステップＳＴ１でメモリ３７に書き込んだ５６個のレートデータＲＤ（ＣＸｎ／ＣＹｍ）を読み出して、上記式（１）に基づいて、各時間ｔｃ毎に、変動値ΔＲ（ＣＸｎ／ＣＹｍ）（ｔｃ）をそれぞれ生成する。
処理回路４１は、上記生成した５６個の変動値ΔＲ（ＣＸｎ／ＣＹｍ）（ｔｃ）をメモリ３７に書き込む。【００３７】
ステップＳＴ３：
処理回路４１は、上記式（２）に示すように、ステップＳＴ２で算出された変動値ΔＲ（ＣＸｎ／ＣＹｍ）（ｔｃ）を、通貨ペアＣＸｎ／ＣＹｍの最少単位Ｚ（ＣＸｎ／ＣＹｍ）で除算して補正変動値ΔＣＲ（ＣＸｎ／ＣＹｍ）（ｔｃ）を算出する。
最少単位Ｚ（ＣＸｎ／ＣＹｍ）としては、例えば、通貨ペア（ＣＸｎ／ＣＹｍ）の最小値幅単位であり、為替が変動するときの最小値である１ピップを用いる。【００３８】
ステップＳＴ４：
処理回路４１は、上記８つの通貨ＣＹｍの各々について、当該通貨に対応したｍの値を固定して、上記式（３）に示すように、ｎ＝１〜８についてステップＳＴ３で生成した上記補正変動値ΔＣＲ（ＣＸｎ／ＣＹｍ）（ｔｃ）を累積して当該通貨の指標データＩｎｄｅｘ（ＣＹｍ）を算出する。
処理回路４１は、上記生成した８個の通貨の指標データＩｎｄｅｘ（ＣＹｍ）をメモリ３７に書き込む。【００３９】
ステップＳＴ５：
処理回路４１は、例えば、ステップＳＴ４でメモリ３７に書き込まれた指標データＩｎｄｅｘ（ＣＹｍ）を読み出して、例えば、図７に示すように、８個の通貨の指標データＩｎｄｅｘ（ＣＹｍ）を、値が高い順にソートして表示する画面データを生成し、これをメモリ３７に書き込む。
処理回路４１は、個人投資家端末装置１４からの要求に応じて、例えば、上記生成した画面データを個人投資家端末装置１４に送信する。
図４に示す個人投資家端末装置１４の処理回路３１は、ＦＸ情報提供サーバ１６から入力した上記画面データの表示処理を行い、図４に示すディスプレイ２５に、上記画面データに応じた画面を表示する。
例えば、処理回路３１は、ディスプレイ２５に図９に示す表データを表示する。
個人投資家は、図９に示す表データを見て、各通貨の強さの変化の順位を容易に把握できる。【００４０】
処理回路４１は、例えば、ステップＳＴ４でメモリ３７に書き込まれた８個の通貨の指標データＩｎｄｅｘ（ＣＹｍ）を読み出し、図１０に示すように、それらを時系列でディスプレイ２５にグラフ表示してもよい。個人投資家は、図１０に示すグラフを基に、各通貨の強さの変化がどのようになっているかを一目で把握できる。
図１０に示すグラフは、１５分足、１時間足、日足等の所定の時間間隔のタイミングのデータを基に作成され、何れの時間間隔を選択するかは個人投資家が図４に示す操作部２３を操作することで決定される。
処理回路４１は、指標データＩｎｄｅｘ（ＣＹｍ）を基に、例えば、図１１に示すように、一つの通貨について、１５分足、１時間足、日足等の複数の時間間隔のグラフを同時に表示してもよい。【００４１】
ステップＳＴ６：
個人投資家端末装置１４の処理回路３１は、例えば、ステップＳＴ５で入力した画面データに示される８個の通貨の指標データＩｎｄｅｘ（ＣＹｍ）に基づいて、指標データＩｎｄｅｘ（ＣＹｍ）が最も大きい（強くなる方向に最もシフトしている）通貨をＣＹｍａｘとし、指標データＩｎｄｅｘ（ＣＹｍ）が最も小さい（弱くなる方向に最もシフトしてる）通貨をＣＹｍｉｎとした場合に、通貨ペア（ＣＹｍａｘ／ＣＹｍｉｎ）を特定し、当該通貨ペア（ＣＹｍａｘ／ＣＹｍｉｎ）を買う取引を自動発注する。【００４２】
以上説明したように、ＦＸ処理システム１によれば、ＦＸ情報提供サーバ１６において、ＲＤ生成サーバ群１０からの５６個の通貨ペアのレートデータＲＤ（ＣＸｎ／ＣＹｍ）に基づいて、８個の通貨の各について、その強さの変化を時系列的に示す指標データＩｎｄｅｘ（ＣＹｍ）を算出することができる。
そのため、個人投資家端末装置１４は、上記指標データＩｎｄｅｘ（ＣＹｍ）に基づいて、８個の通貨の強さの変化を時系列に序列化できる。【００４３】
これにより、個人投資家端末装置１４において、上記指標データＩｎｄｅｘ（ＣＹｍ）に基づいて、取引対象とする通貨ペアを決定できる。
例えば、個人投資家端末装置１４は、強くなる方向に最もシフトしている通貨を、弱くなる方向に最もシフトしてる通貨で買う、通貨ペア（ＣＹｍａｘ／ＣＹｍｉｎ）を特定し、当該通貨ペア（ＣＹｍａｘ／ＣＹｍｉｎ）を買う取引を自動発注することができる。【００４４】
ところで、為替取引をする場合、通貨ペアのチャートのテクニカル分析を行い、ポジションを取る判断をする場合が多い。例えば、米ドル／円と豪ドル／円の二つの通貨ペアが取引する候補に上ったとする。どちらもチャート上のテクニカルではよい数値あるいは上昇する形を形成していたとする。
上昇を期待する場合、米ドルが円より強い場合に上昇する。また豪ドルが円より強い場合に上昇する。
その場合、米ドルと豪ドルは円に対してはどちらも強いが、円以外の通貨に対しては、どうなのかが分かると、どちらの通貨ペアが上昇の可能性が高いかが判断できる。
米ドルは円に対して強いが、円以外の通貨に対してもある程度の強さを見せている。ところが、豪ドルは円に対しては強いものの、円以外の通貨に対しては、それほど強い動きを見せていないとしたならば、米ドル・円の方を買いのポジションを取った方が有利に動く可能性が高い。【００４５】
個人投資家端末装置１４において、上記指標データＩｎｄｅｘ（ＣＹｍ）を基に、全ての通貨の強さの変化をグラフ化することで、序列の変化が視覚的に捕らえやすくなる。
グラフの下方から上方に向かって描かれている時は、徐々に強くなって行く様子が分かり、反対の場合は弱くなって行く過程が分かる。
また、日足のように長い時間足のグラフが上昇傾向が示していて、６０分や１５分足のグラフが一旦下降方向を示したが再び上昇を始め、大きなトレンド方向に動き始めた場合は上昇方向にポジションをとりやすい。
ＦＸ処理システム１を用いることで、通貨全体または複数のメジャー通貨等の多くの通貨の中での強弱の状態が分かり、全体的な傾向がつかめ、効率のよい取引が可能となる。【００４６】
＜第２実施形態＞
本実施形態では、上述した第１実施形態における図８に示すステップＳＴ６の「指標データＩｎｄｅｘを基に取引候補とする通貨ペアを決定する手法」のその他の例を説明する。
図１２は、本発明の第２実施形態における図８に示すステップＳＴ６の処理の流れを説明するためのフローチャートである。【００４７】
ステップＳＴ１１：
図４に示す個人投資家端末装置１４の処理回路３１は、メモリ２７から８個の通貨の指標データＩｎｄｅｘ（ＣＹｍ）を読み出し、これらの各々についてＲＳＩ値（ＣＹｍ）値を算出する。
ＲＳＩ(Relative
Strength Index)値は、「（ｎ日間の値上がり幅合計／ｎ日間の値上がり幅合計＋ｎ日間の値下がり幅合計)×１００）を示している。
ｎとしては、例えば、「１４」、「９」を使い、３０以下では売られすぎ７０以上では買われすぎの水準とする。
なお、本実施形態では、指標データＩｎｄｅｘ（ＣＹｍ）のトレンドの上昇および下降をＲＳＩ値を基に判断したが、ＭＡＣＤ(Moving Average Convergence Divergence Trading Method)、ＲＣＩ(Rank
Correlation Index)、ウィリアムズ％Ｒ、ボリンジャーバンド等のその他の手法を基に判断してもよい。【００４８】
ステップＳＴ１２：
処理回路３１は、ステップＳＴ１１で算出したＲＳＩ値（ＣＹｍ）を基に、指標データＩｎｄｅｘ（ＣＹｍ）が上昇トレンドに変化した通貨と、下降トレンドにある通貨とがあればそれを特定する。
具体的には、処理回路３１は、各通貨について、そのレートデータの安値が切り下がっているが、ＲＳＩ値（ＣＹｍ）の安値が切り上がっているという条件を満たした場合に、その通貨が上昇トレンドにあると判断する。
一方、処理回路３１は、各通貨について、そのレートデータの安値が切り上がっているが、ＲＳＩ値（ＣＹｍ）の安値が切り下がっているという条件を満たした場合に、その通貨が下降トレンドにあると判断する。【００４９】
ステップＳＴ１３：
処理回路３１は、ステップＳＴ１２において、上述した８個の通貨の中に、上昇トレンドに変化した通貨と下降トレンドにある通貨との双方がある場合には、以下に示すように売り対象の通貨ペアと買い対象の通貨ペアを自動的に決定する。
すなわち、処理回路３１は、通貨ペア「ＣＸｎ／ＣＹｍ」のうち、通貨ＣＸｎが上昇トレンドに変化した通貨であり、通貨ＣＹｍが下降トレンドに変化した通貨である通貨ペアを買い対象として決定する。このとき、通貨ＣＸｎが最も上昇トレンドに変化した通貨であり、通貨ＣＹｍが最も下降トレンドに変化した通貨である通貨ペアを最有力の買い対象として決定する。
一方、処理回路３１は、通貨ペア「ＣＸｎ／ＣＹｍ」のうち、通貨ＣＸｎが下降トレンドに変化した通貨であり、通貨ＣＹｍが上昇トレンドに変化した通貨である通貨ペアを売り対象として決定する。このとき、通貨ＣＸｎが最も下降トレンドに変化した通貨であり、通貨ＣＹｍが最も上昇トレンドに変化した通貨である通貨ペアを最有力の買い対象として決定する。【００５０】
ステップＳＴ１４：
処理回路３１は、例えば、図３に示す通貨ペア「ＣＸｎ／ＣＹｍ」のうち、通貨ＣＸｎが上昇トレンドに変化した通貨であり、通貨ＣＹｍがトレンドに変化がない通貨である通貨ペアを買い対象として決定する。このとき、通貨ＣＸｎの上昇率が高いほど、買い対象としての優先順位を高める。
処理回路３１は、例えば、図３に示す通貨ペア「ＣＸｎ／ＣＹｍ」のうち、通貨ＣＸｎが下降トレンドに変化した通貨であり、通貨ＣＹｍがトレンドに変化がない通貨である通貨ペアを売り対象として決定する。このとき、通貨ＣＸｎの下降率が高いほど、売り対象としての優先順位を高める。
処理回路３１は、例えば、図３に示す通貨ペア「ＣＸｎ／ＣＹｍ」のうち、通貨ＣＸｎがトレンドに変化がない通貨であり、通貨ＣＹが上昇トレンドに変化した通貨である通貨ペアを売り対象として決定する。このとき、通貨ＣＸｎの上昇率が高いほど、売り対象としての優先順位を高める。
処理回路３１は、例えば、図３に示す通貨ペア「ＣＸｎ／ＣＹｍ」のうち、通貨ＣＸｎがトレンドに変化がない通貨であり、通貨ＣＹが下降トレンドに変化した通貨である通貨ペアを買い対象として決定する。このとき、通貨ＣＸｎの下降率が高いほど、買い対象としての優先順位を高める。【００５１】
＜第３実施形態＞
本実施形態では、上述した第１実施形態における図８に示すステップＳＴ６の「指標データＩｎｄｅｘを基に取引候補とする通貨ペアを決定する手法」のその他の例を説明する。
図３に示す通貨ペア「ＣＸｎ／ＣＹｍ」の間には、相関関係があるものがある。
このような相関関係は事前に統計的に決定され、相関係数と共に図６に示すメモリ３７に記憶されている。【００５２】
例えば、通貨ペア「米ドル／カナダドル」と「ＮＺドル／米ドル」は順相関の関係がある。すなわち、「米ドル／カナダドル」が上昇あるいは下降すれば、「ＮＺドル／米ドル」は上昇あるいは下降する。
また、通貨ペア「米ドル／円」と「米ドル／カナダドル」との間には逆相関の関係がある。すなわち、「米ドル／円」が上昇あるいは下降すれば、「米ドル／カナダドル」は下降あるいは上昇する。【００５３】
ところで、上述したような相関関係から、以下のことが導き出される。
すなわち、通貨ペア「Ｃ１／Ｃ２」と「「Ｃ３／Ｃ１」との間に順相関の関係がある場合には、通貨の強さは理論的には、弱い順に通貨「Ｃ１，Ｃ２，Ｃ３」あるいは「Ｃ１，Ｃ３，Ｃ２」となる。従って、通貨の強さが弱い順に通貨「Ｃ２，Ｃ１，Ｃ３」あるいは「Ｃ３，Ｃ１，Ｃ２」となることはあり得ない。
図４に示す個人投資家端末装置１４の処理回路３１は、例えば、上述したメモリ２７に記憶されている図３に示す通貨ペア「ＣＸｎ／ＣＹｍ」間の相関係数（相関関係データ）に基づいて、上述したの通貨の強さの関係としてあり得ない通貨強さ順位パターンのリストを示すリストデータを生成し、これをメモリ３７に記憶する。【００５４】
図１３は、本発明の第３実施形態における図８に示すステップＳＴ６の処理の流れを説明するためのフローチャートである。
ステップＳＴ２１：
図３に示す個人投資家端末装置１４の処理回路３１は、上述したリストデータをメモリ２７から読み出す。【００５５】
ステップＳＴ２２：
処理回路３１は、第１実施形態で説明した８個の通貨の指標データＩｎｄｅｘ（ＣＹｍ）をメモリ２７から読み出し、この指標データＩｎｄｅｘ（ＣＹｍ）に基づく図９に示すに通貨の強さの順位パターンのなかに、ステップＳＴ２１で読み出したリストデータに示される順位パターンが存在するか否かを判断し、存在した場合に、それを歪として検出する。【００５６】
ステップＳＴ２３：
処理回路３１は、ＦＸ情報提供サーバ１６が再生する指標データＩｎｄｅｘ（ＣＹｍ）を逐次監視し、ステップＳＴ２２で検出した歪が戻るタイミングを検出する。具体的には、処理回路３１は、ステップＳＴ２２において検出された順位パターンが、上述した理論的に正しい順位パターンに戻るタイミングを検出する。【００５７】
ステップＳＴ２４：
処理回路３１は、ステップＳＴ２３で検出した順位パターンの戻りに応じて、売買対象とする通貨ペアを決定する。
例えば、処理回路３１は、通貨ペア「ＣＸｎ／ＣＹｍ」のうち、上記歪の戻りによって通貨ＣＸｎの強さの順位が上昇し、通貨ＣＹｍの強さの順位が下降した通貨ペアを買い対象とする。
また、処理回路３１は、通貨ペア「ＣＸｎ／ＣＹｍ」のうち、上記歪の戻りによって通貨ＣＸｎの強さの順位が下降し、通貨ＣＹｍの強さの順位が上昇した通貨ペアを売り対象とする。【００５８】
メモリ２７には、例えば、上述した順位パターンの戻りと、その戻りによって、どのような通貨ペアを売買するかについてを示す取引態様参照データを記憶している。
処理回路３１は、メモリ２７から読み出した上記取引態様参照データに基づいて、上述した通貨ペアの売買を決定する。【００５９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、図８に示すステップＳＴ２〜ＳＴ４の指標データＩｎｄｅｘ（ＣＹｍ）の生成処理をＦＸ情報提供サーバ１６で行い、指標データＩｎｄｅｘ（ＣＹｍ）を基にした通貨ペアの売買処理を個人投資家端末装置１４で行う場合を例示したが、これらの処理を全てＦＸ情報提供サーバ１６および個人投資家端末装置１４の一方のみで行うようにしてもよい。【００６０】
また、上述した実施形態では、ステップＳＴ５のソート処理をＦＸ情報提供サーバ１６で行う場合を例示したが、これらのソート処理を個人投資家端末装置１４で行うようにしてもよい。【００６１】
また、上述した実施形態では、売買に用いる指標データとして、上記式(３)に示す指標データＩｎｄｅｘ（ＣＹｍ）を用いたが、例えば、下記式（４）に示す指標データＩｎｄｅｘ（ＣＹｎ）を用いてもよい。この場合には、指標データＩｎｄｅｘ（ＣＹｎ）の値が小さくなるに従って、その通貨が強くなる傾向が高いことを示している。【００６２】
【数４】
2010058439.tif 000006
【産業上の利用可能性】
【００６３】
本発明は、為替取引システムに適用可能である。
【図面の簡単な説明】
【００６４】
【図１】図１は、本発明の実施形態に係るＦＸ処理システム１の全体構成図である。
【図２】図２は、通貨レートの時系列変化を説明するための図である。
【図３】図３は、為替取引の通貨ペアの種類を説明するための図である。
【図４】図４は、図１に示す個人投資家端末装置の構成図である。
【図５】図５は、図１に示すＦＸ情報提供サーバの構成図である。
【図６】図６は、図５に示すＦＸ情報提供サーバにおける指標データＩｎｄｅｘ（ＣＹｍ）の生成方法を説明するための図である。
【図７】図７は、図５に示すＦＸ情報提供サーバにおける指標データの表示方法の一例を説明するための図である。
【図８】図８は、図５に示すＦＸ情報提供サーバにおける指標データＩｎｄｅｘ（ＣＹｍ）の生成方法を説明するためのフローチャートである。
【図９】図９は、図５に示すＦＸ情報提供サーバにおける指標データの表示方法の一例を説明するための図である。
【図１０】図１０は、図１に示す個人投資家端末装置における指標データＩｎｄｅｘ（ＣＹｍ）に基づいた表示画面の一例を説明するための図である。
【図１１】図１１は、図１に示す個人投資家端末装置における指標データＩｎｄｅｘ（ＣＹｍ）に基づいた表示画面の一例を説明するための図である。
【図１２】図１２は、本発明の第２実施形態における図８に示すステップＳＴ６の処理の流れを説明するためのフローチャートである。
【図１３】図１３は、本発明の第３実施形態における図８に示すステップＳＴ６の処理の流れを説明するためのフローチャートである。
【符号の説明】
【００６５】
１…ＦＸ処理システム
１０…ＲＤ生成サーバ群
１２…ＦＸ取引業者サーバ
１４…個人投資家端末装置
２０…内部バス
２１…インタフェース
２３…操作部
２５…ディスプレイ
２７…メモリ
２９…作業メモリ
３１…処理回路
３０…内部バス
３１…インタフェース
３３…操作部
３５…ディスプレイ
３７…メモリ
３９…作業メモリ
４１…処理回路
Ｉｎｄｅｘ（ＣＹｍ）…指標データ
【図１】
2010058439.tif 000007
【図２】
2010058439.tif 000008
【図３】
2010058439.tif 000009
【図４】
2010058439.tif 000010
【図５】
2010058439.tif 000011
【図６】
2010058439.tif 000012
【図７】
2010058439.tif 000013
【図８】
2010058439.tif 000014
【図９】
2010058439.tif 000015
【図１０】
2010058439.tif 000016
【図１１】
2010058439.tif 000017
【図１２】
2010058439.tif 000018
【図１３】
2010058439.tif 000019
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
通貨ペアの取引レートを時系列に示すレートデータを、複数の通貨間の全ての通貨ペアの各々について入力する入力工程と、
複数の通貨ペアの各々について、前記入力工程で入力した前記レートデータの所定の時間間隔の各時刻における所定の時間幅での変動値を示す変動データを算出する変動データ算出工程と、
前記複数の通貨の各々について、前記全ての通過ペアのうち当該通貨が売通貨および買通貨のうち予め決められた一方となる全ての通貨ペアの前記変動データを累積した指標データを算出する指標データ算出工程と
をコンピュータが実行する通貨指標生成方法。
【請求項２】
前記指標データ算出工程で算出した前記指標データを基に、前記複数の通貨の強さの順位付けを行う順位付け工程
を前記コンピュータがさらに実行する請求項１に記載の通貨指標生成方法。
【請求項３】
前記変動データを、それに対応した前記レートデータが変動する最小単位である最小データ幅単位あるいは変動率を示すピップを単位とするように変換演算する変換演算工程
をさらに有し、
前記指標データ算出工程は、前記変換演算工程で算出した前記変動データを累積する
請求項１に記載の通貨指標生成方法。
【請求項４】
前記指標データ算出工程で算出した前記指標データを基に、売買の対象とする通貨ペアを決定する処理を行う売買工程
を前記コンピュータがさらに実行する請求項１に記載の通貨指標生成方法。
【請求項５】
前記順位付け工程で得た前記複数の通貨の強さの順位を基に、売買の対象とする通貨ペアを決定する処理を行う売買工程
を前記コンピュータがさらに実行する請求項２に記載の通貨指標生成方法。
【請求項６】
前記複数の通貨について当該通貨の前記レートデータ以外の情報によって予め決められた補正データを基に、前記指標データを補正する補正工程
をさらに有し、
前記売買工程は、前記補正工程で補正された前記指標データを用いて、売買の対象とする通貨ペアを決定する処理を行う
請求項４に記載の通貨指標生成方法。
【請求項７】
前記売買工程は、前記指標データが大きくなるに従って通貨の強さの上昇率が高くなることを示す場合に、前記複数の通貨のうち、前記指標データが最も高い通貨と最も低い通貨とを特定し、前記特定した指標データが最も低い通貨に対する前記特定した指標データが最も高い通貨の取引レートを示す通貨ペアを買うように前記取引の対象を決定する処理を行う
請求項４に記載の通貨指標生成方法。
【請求項８】
前記複数の通貨の前記指標データ算出工程で算出した指標データを基に、当該通貨の強さの変化を示す変化データを算出するトレンド変化データ算出工程と、
前記トレンド変化データ算出工程で算出した前記変化データを基に、強さが上昇から下降に変化した第１の通貨と、強さが下降から上昇に転じた第２の通貨との通貨ペアを取引対象として決定する売買工程と
を前記コンピュータがさらに行う請求項１に記載の通貨指標生成方法。
【請求項９】
予め通貨ペアの相関関係から矛盾する通貨の強さ関係のリストを示すリストデータを前記コンピュータのメモリから読み出す読み出し工程と、
前記リストデータに示されたリストを参照して、前記順位付け工程で付けた前記複数の通貨の順位のなかに矛盾する通貨の強さ関係が存在する場合に、それを歪として検出する歪検出工程と、
前記順位付け工程で決定される前記複数の通貨の順位を監視し、前記歪検出工程で検出した前記歪が解消されたことを検出する歪解消検出工程と、
前記歪解消検出工程で前記歪の解消が検出された場合に、当該解消の要因となった前記通貨の順位の変化パターンに予め対応付けられた通貨ペアの取引処理を行うことを、前記メモリから読み出した取引態様参照データに基づいて決定する売買工程と
を前記コンピュータがさらに行う請求項２に記載の通貨指標生成方法。
【請求項１０】
通貨ペアの取引レートを時系列に示すレートデータを、複数の通貨間の全ての通貨ペアの各々について入力する入力手段と、
複数の通貨ペアの各々について、前記入力手段で入力した前記レートデータの所定の時間間隔の各時刻における所定の時間幅での変動値を示す変動データを算出する変動データ算出手段と、
前記複数の通貨の各々について、前記全ての通過ペアのうち当該通貨が売通貨および買通貨のうち予め決められた一方となる全ての通貨ペアの前記変動データを累積した指標データを算出する指標データ算出手段と
を有する通貨指標生成装置。
【請求項１１】
前記指標データ算出手段で算出した前記指標データを基に、前記複数の通貨の強さの順位付けを行う順位付け手段
をさらに有する請求項１０に記載の通貨指標生成装置。
【請求項１２】
前記指標データ算出手段で算出した前記指標データを基に、前記通貨ペアの売買を行う売買手段
をさらに有する請求項１０に記載の通貨指標生成装置。
【請求項１３】
前記売買手段は、前記指標データが大きくなるに従って通貨の強さの上昇率が高くなることを示す場合に、前記複数の通貨のうち、前記指標データが最も高い通貨と最も低い通貨とを特定し、前記特定した指標データが最も低い通貨に対する前記特定した指標データが最も高い通貨の取引レートを示す通貨ペアを買うように前記取引の対象を決定する
請求項１２に記載の通貨指標生成装置。
【請求項１４】
前記複数の通貨の前記指標データ算出工程で算出した指標データを基に、当該通貨の強さの変化を示す変化データを算出するトレンド指標データ算出手段と、
前記トレンド指標データ算出手段が算出した前記変化データを基に、強さが上昇から下降に変化した第１の通貨と、強さが下降から上昇に転じた第２の通貨との通貨ペアを取引対象として決定する売買手段と
をさらに有する請求項１０に記載の通貨指標生成装置。
【請求項１５】
通貨ペアの取引レートを時系列に示すレートデータを生成する第１のサーバと、
前記第１のサーバから前記レートデータを入力し、当該レートデータを基に、複数の通貨ペアの各々について指標データを算出する第２のサーバと、
前記第２のサーバからの前記指標データに基づいて、前記複数の通貨ペアの売買処理を行う端末装置と
を用いた為替取引方法において、
前記第２のサーバが、
前記レートデータを基に、複数の通貨ペアの各々について、前記入力工程で入力した前記レートデータの所定の時間間隔の各時刻における所定の時間幅での変動値を示す変動データを算出する変動データ算出工程と、
前記複数の通貨の各々について、前記全ての通過ペアのうち当該通貨が売通貨および買通貨のうち予め決められた一方となる全ての通貨ペアの前記変動データを累積した指標データを算出する指標データ算出工程と
を実行する
為替取引方法。
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
通貨ペアの取引レートを時系列に示すレートデータを、複数の通貨間の全ての通貨ペアの各々について入力してメモリに書き込む入力工程と、
複数の通貨ペアの各々について、前記入力工程で前記メモリに書き込んだ前記レートデータを読み出し、当該レートデータの所定の時間間隔の各時刻における所定の時間幅での変動値を示す変動データを算出して前記メモリに書き込む変動データ算出工程と、
前記複数の通貨の各々について、前記全ての通過ペアのうち当該通貨が売通貨および買通貨のうち予め決められた一方となる全ての通貨ペアの前記変動データを前記メモリから読み出して累積した指標データを算出する指標データ算出工程と
をコンピュータが実行する通貨指標生成方法。
【請求項２】
前記指標データ算出工程で算出した前記指標データを前記メモリから読み出し、当該読み出した指標データを基に、前記複数の通貨の強さの順位付けを行う順位付け工程
を前記コンピュータがさらに実行する請求項１に記載の通貨指標生成方法。
【請求項３】
前記メモリから読み出した前記変動データを、それに対応した前記レートデータが変動する最小単位である最小データ幅単位あるいは変動率を示すピップを単位とするように変換演算して前記メモリに書き込む変換演算工程
をさらに有し、
前記指標データ算出工程は、前記変換演算工程で算出した前記変動データを前記メモリから読み出して累積する
請求項２に記載の通貨指標生成方法。
【請求項４】
前記指標データ算出工程で算出した前記指標データを基に、売買の対象とする通貨ペアを決定する処理を行う売買工程
を前記コンピュータがさらに実行する請求項３に記載の通貨指標生成方法。
【請求項５】
前記順位付け工程で得た前記複数の通貨の強さの順位を基に、売買の対象とする通貨ペアを決定する処理を行う売買工程
を前記コンピュータがさらに実行する請求項２に記載の通貨指標生成方法。
【請求項６】
前記複数の通貨について当該通貨の前記レートデータ以外の情報によって予め決められた補正データを基に、前記指標データを補正する補正工程
をさらに有し、
前記売買工程は、前記補正工程で補正された前記指標データを用いて、売買の対象とする通貨ペアを決定する処理を行う
請求項４または請求項５に記載の通貨指標生成方法。
【請求項７】
前記売買工程は、前記指標データが大きくなるに従って通貨の強さの上昇率が高くなることを示す場合に、前記複数の通貨のうち、前記指標データが最も高い通貨と最も低い通貨とを特定し、前記特定した指標データが最も低い通貨に対する前記特定した指標データが最も高い通貨の取引レートを示す通貨ペアを買うように前記取引の対象を決定する処理を行う
請求項４〜６のいずれかに記載の通貨指標生成方法。
【請求項８】
前記複数の通貨の前記指標データ算出工程で算出した指標データを基に、当該通貨の強さの変化を示す変化データを算出するトレンド変化データ算出工程と、
前記トレンド変化データ算出工程で算出した前記変化データを基に、強さが上昇から下降に変化した第１の通貨と、強さが下降から上昇に転じた第２の通貨との通貨ペアを取引対象として決定する売買工程と
を前記コンピュータがさらに行う請求項３〜７のいずれかに記載の通貨指標生成方法。
【請求項９】
予め通貨ペアの相関関係から矛盾する通貨の強さ関係のリストを示すリストデータを前記コンピュータのメモリから読み出す読み出し工程と、
前記リストデータに示されたリストを参照して、前記順位付け工程で付けた前記複数の通貨の順位のなかに矛盾する通貨の強さ関係が存在する場合に、それを歪として検出する歪検出工程と、
前記順位付け工程で決定される前記複数の通貨の順位を監視し、前記歪検出工程で検出した前記歪が解消されたことを検出する歪解消検出工程と、
前記歪解消検出工程で前記歪の解消が検出された場合に、当該解消の要因となった前記通貨の順位の変化パターンに予め対応付けられた通貨ペアの取引処理を行うことを、前記メモリから読み出した取引態様参照データに基づいて決定する売買工程と
を前記コンピュータがさらに行う請求項２〜８のいずれかに記載の通貨指標生成方法。
【請求項１０】
通貨ペアの取引レートを時系列に示すレートデータを、複数の通貨間の全ての通貨ペアの各々について入力する入力手段と、
複数の通貨ペアの各々について、前記入力手段で入力した前記レートデータの所定の時間間隔の各時刻における所定の時間幅での変動値を示す変動データを算出する変動データ算出手段と、
前記複数の通貨の各々について、前記全ての通過ペアのうち当該通貨が売通貨および買通貨のうち予め決められた一方となる全ての通貨ペアの前記変動データを累積した指標データを算出する指標データ算出手段と
を有する通貨指標生成装置。
【請求項１１】
前記指標データ算出手段で算出した前記指標データを基に、前記複数の通貨の強さの順位付けを行う順位付け手段
をさらに有する請求項１０に記載の通貨指標生成装置。
【請求項１２】
前記指標データ算出手段で算出した前記指標データを基に、前記通貨ペアの売買を行う売買手段
をさらに有する請求項１０または請求項１１に記載の通貨指標生成装置。
【請求項１３】
前記売買手段は、前記指標データが大きくなるに従って通貨の強さの上昇率が高くなることを示す場合に、前記複数の通貨のうち、前記指標データが最も高い通貨と最も低い通貨とを特定し、前記特定した指標データが最も低い通貨に対する前記特定した指標データが最も高い通貨の取引レートを示す通貨ペアを買うように前記取引の対象を決定する
請求項１２に記載の通貨指標生成装置。
【請求項１４】
前記複数の通貨の前記指標データ算出工程で算出した指標データを基に、当該通貨の強さの変化を示す変化データを算出するトレンド指標データ算出手段と、
前記トレンド指標データ算出手段が算出した前記変化データを基に、強さが上昇から下降に変化した第１の通貨と、強さが下降から上昇に転じた第２の通貨との通貨ペアを取引対象として決定する売買手段と
をさらに有する請求項１０〜請求項１３のいずれかに記載の通貨指標生成装置。
【請求項１５】
通貨ペアの取引レートを時系列に示すレートデータを生成する第１のサーバと、
前記第１のサーバから前記レートデータを入力し、当該レートデータを基に、複数の通貨ペアの各々について指標データを算出する第２のサーバと、
前記第２のサーバからの前記指標データに基づいて、前記複数の通貨ペアの売買処理を行う端末装置と
を用いた為替取引方法において、
前記第２のサーバが、
前記レートデータを基に、複数の通貨ペアの各々について、前記入力工程で入力した前記レートデータの所定の時間間隔の各時刻における所定の時間幅での変動値を示す変動データを算出する変動データ算出工程と、
前記複数の通貨の各々について、前記全ての通過ペアのうち当該通貨が売通貨および買通貨のうち予め決められた一方となる全ての通貨ペアの前記変動データを累積した指標データを算出する指標データ算出工程と
を実行する
為替取引方法。
【国際調査報告】
2010058439.tif 000020
2010058439.tif 000021